(57)【特許請求の範囲】
【請求項１】
無線装置の送信信号送出用の電力増幅制御方法において、
送出電力を送信信号開始にあたり所定の特性曲線に沿って所定の電力レベルまで高めるステップと、
前記送信電力を送信信号終了にあたり所定の特性曲線に沿って低減するステップと、
電力増幅を制御する制御信号（８，９）の立ち上がり縁および立ち下がり縁のために１つの基準制御信号（５）を使用するステップと、
該制御信号（８，９）を所定の最大制御信号値（６，７）に制限するステップと、
前記送信信号を所定の遅延時間（１５，１６）を伴って送出するステップが設けられており、該所定の遅延時間（１５，１６）を、少なくとも前記送信信号送出のための所定の電力レベルに依存させることを特徴とする、
電力増幅制御方法。
【請求項２】
制御信号（８，９）を所定の最大制御信号値（６，７）に制限する前記ステップには、前記基準制御信号（５）を該所定の最大制御信号値（６，７）と１つの所定の時点でまたは持続的に比較し、前記基準制御信号（５）が前記所定の最大制御信号値（６，７）を超えていれば、該最大制御信号値（６，７）に前記制御信号（８，９）を制限するステップが含まれる、請求項１記載の方法。
【請求項３】
制御信号（８，９）を所定の最大制御信号値（６，７）に制限する前記ステップには、所定の信号上昇期間後、該制御信号（８，９）を前記所定の最大制御信号値（６，７）に制限するステップが含まれる、請求項１記載の方法。
【請求項４】
制御信号（８，９）を所定の最大制御信号値（６，７）に制限する前記ステップには、該制御信号（８，）を前記基準制御信号（５）から前記所定の最大制御信号値（６，７）へ切り替えるステップが含まれている、請求項１記載の方法。
【請求項５】
前記所定の電力レベルが低減すると前記所定の遅延時間（１５，１６）を増大させる、請求項１記載の方法。
【請求項６】
基準制御信号（５）を所定の最大制御信号値（６，７）と比較するステップには、所定の間隔で比較するステップが含まれる、請求項２記載の方法。
【請求項７】
前記制御信号（８，９）により引き継がれる前記基準制御信号（５）の部分の範囲を、少なくとも前記所定の電力レベルに依存して選定するステップが設けられている、請求項１記載の方法。
【請求項８】
前記所定の電力レベルが低減すると、前記制御信号（８，９）により引き継がれない前記基準制御信号（５）の部分の範囲を増大させるステップが設けられている、請求項１項記載の方法。
【請求項９】
検出器（２０）を用いて、電力増幅器出力側で実際に得られる送出電力を求め、制御量として電力増幅器の制御分岐へフィードバックするステップが設けられている、請求項１記載の方法。
【発明の詳細な説明】
従来の技術
本発明は、請求項１の上位概念に記載の電力増幅制御方法に関する。
”European Digital Cellular Telecomunications System（Phase 2）; Radio Transmission and Reception（GSM 05.05）, European Telecomunication Standard, Mai 1994”により、移動無線装置から送信信号を送信する際、送信信号開始時に送信電力を所定の電力まで連続的に上昇させ、送信信号終了時に所定の電力まで連続的に低減させることが知られている。
発明の利点
これに対し、請求項１記載の特徴を備えた本発明による方法の有する利点とは、送信信号送出用の所定電力が種々異なっていても、ただ１つの基準制御信号しか必要としないことである。それゆえ、離散的な制御信号振幅値を格納するために、ほんの僅かな所要メモリスペースしか必要ない。
従属請求項に記載の構成により、請求項１記載の方法の有利な実施形態が可能である。
有利には、送信信号送出用の所定の電力を設定するために、制御信号が適切に設定された最大値に制限され、この目的で基準制御信号が所定の最大制御信号値と所定の時点でまたは持続的に比較され、および／または制御信号が所定の信号上昇期間後に所定の最大制御信号値に制限される。このようにすれば、送信信号を所期の送出電力に設定するために格別簡単に制御信号を求めることができる。それというのも、たとえば乗算などの煩雑な演算が不要であり、単に比較演算だけしか必要ないからである。
殊に有利であるのは、制御信号を制限するために、基準制御信号から所定の最大制御信号値へ切り替えることである。このようにすれば、制御信号を所定の最大制御信号値に制限するための格別簡単な実現形態が得られる。
また、所定の電力に依存して所定の時間のずれを伴わせて送信信号を送出するのも有利である。このようにすれば、種々異なる所定の電力について、送信信号の送出のための所定のタイムパターンを守ることができる。
さらに別の利点は、送信信号の始まりをずらすことでこの種の時間のずれを容易に実現できることである。
また、基準制御信号と所定の最大制御信号値との比較の行われる各時点の間隔をまえもって設定するのも有利である。送信信号の送出期間全体にわたる期間について、あるいは送出期間の一部分だけの期間について、このようにまえもって設定できることで、簡単かつフレキシブルに信号低減開始時点と必要とされる制御信号の勾配を、種々の要求に適合させることができる。
さらに、制御信号により引き継がれる基準制御信号の値の個数を、所定の電力に依存して選定するのも有利である。このようにすれば、所定の最大制御信号値を超えた基準制御信号の値を、簡単でほとんど手間をかけずに飛び越えさせることができる。
さらに有利であるのは、検出器を用いて電力増幅器の出力側で実際に得られる送出電力を求め、制御量として電力増幅器の制御分岐へフィードバックさせることである。このことは、送出電力制御のための簡単な実現形態を成すものである。
図面
次に、図面を参照しながら本発明の実施例について詳細に説明する。
図１は、第１の実施例による電力増幅制御のブロック図である。
図２は、第１の実施例による制御信号選定のためのフローチャートである。
図３は、第１の実施例による３つの制御信号のタイムチャートである。
図４は、第２の実施例によるブロック図である。
図５は、第２の実施例による３つの制御信号のブロック図である。
図６は、第３の実施例のブロック図である。
図７は、第３の実施例に関する２つのフローチャートである。
図８は、第３の実施例による３つの制御信号のタイムチャートである。
図９は、第４の実施例に関するフローチャートである。
図１０は、第４の実施例による２つの制御信号のタイムチャートである。
図１１は、第５の実施例に関する２つのフローチャートである。
図１２は、第５の実施例による３つの制御信号のタイムチャートである。
図１３は、第６の実施例に関する２つのフローチャートである。
図１４は、第６の実施例による３つの制御信号のタイムチャートである。
実施例の説明
図１には参照符号１０により電力増幅器が示されており、その第１の入力側８５へ高周波送信信号が供給される。電力増幅器１０は出力側で、アンテナ給電点３０を介して送信アンテナ２０と接続されており、さらに検出器２０の入力側とも接続されている。検出器２０の出力信号は、第１のフィルタ３５を介して加算点４５の反転（−）入力側へ導かれる。加算点４５の非反転入力側（＋）は、スイッチ５０と接続されている。加算点４５の非反転入力側（＋）はスイッチ５０を介して、第１のディジタル／アナログ変換器６０の出力側と接続可能であるし、あるいは第２のディジタル／アナログ変換器６５の出力側と接続可能である。この場合、スイッチ５０のスイッチ位置は比較器５５の出力側により制御され、その際、比較器５５は２つの入力側を有しており、これらの入力側も第１のディジタル／アナログ変換器３０ないしは第２のディジタル／アナログ変換器６５と接続されている。第１のディジタル／アナログ変換器６０はその入力側でメモリ７０と接続されており、第２のディジタル／アナログ変換器６５はその入力側で入力ユニット７５の出力側と接続されている。電力増幅器１０の制御入力側８０へ供給される制御信号は、図１では制御電圧ＵＣとして表されている。
スイッチ５０はそのスイッチ位置の検出のため、メモリ７０の第１の入力側１１０と接続されている。スイッチの位置は比較結果に依存するので、この検出を比較器５５の出力側でダイレクトに行うこともできる。さらに入力ユニット７５の出力側は、メモリ７０の第２の入力側１１５と接続されている。
図１に示した装置はたとえば、ＧＳＭ規格による移動無線送信機の一部分とすることができる。ＧＳＭ移動無線に関する仕様の規定によれば、送信機出力段は送信信号の開始と終了にあたりハードに送信を始めたり送信を終えたりするのではなく、できるかぎりスプリアスを発生させないようにアナログの制御信号ＵＣにより適切な特性曲線に沿って制御される。この場合、ただ１つの特性曲線しか設定されず、これは図３による基準制御信号５に示されている。図３には、制御信号ＵＣを時間軸ｔ上に表したダイアグラムが描かれている。基準制御信号５は時点ｔ１から時点ｔ４までその最大値ＵＣ０へ向かって上昇し、時点ｔ５から時点ｔ８までは絶対値的に同じ勾配で再び０まで降下する。これらの勾配を異なるように選定してもよい。図３に示されている基準制御信号５の特性曲線は、簡略化された形態で等間隔の補間支点１０５による内挿を表しており、それらの補間支点はそれぞれ第１の期間９０により互いに分離されている。この場合、補間支点はメモリ７０内にディジタル形式で格納されている。それらは相応にまえもって定められたときに第１のディジタル／アナログ変換器６０によりアナログ信号値へ変換される。最大値ＵＣ０が電力増幅器１０の制御入力側８０へ供給されると、電力増幅器１０において高周波送信信号のための最大送信電力が設定される。
図３に示されている基準制御信号５の経過特性は、本発明による方法を具体的に説明するために用いられるものであり、殊にそれらの立ち上がり縁や立ち下がり縁に関して、たとえばＧＳＭ規格による移動無線のための所定の仕様に適合させることができる。入力ユニット７５において、送信アンテナ２５を介して高周波送信信号を送信するための電力を設定できる。この目的で入力ユニット７５において、まえもって定められた送信電力を達成するのに必要とされる最大制御信号値６，７が求められる。第２のディジタル／アナログ変換器６５により、まえもって定められた最大制御信号値６，７がアナログ形式で比較器５５の適切な入力側へ送出される。
この場合、入力ユニット７５においてまえもって設定可能な送信電力は、電力増幅器１０の出力側における最大可能な送信電力よりも小さいかまたはそれと同じである。このため所定の最大制御信号値６，７も、図３に示した最大値ＵＣ０よりも小さいかまたはそれと等しい。図３の場合、第１の最大制御信号６は最大値ＵＣ０よりも小さい値ＵＣ１を有しており、第２の制御信号７は第１の最大制御信号６の値ＵＣ１よりも小さい値ＵＣ２を有している。
図２には、加算点４５の非反転入力側（＋）に供給される制御信号を形成するためのフローチャートが示されている。プログラムステップ２００において、基準制御信号５の第１の補間支点値がメモリ７０から比較器５５へ送出される。この値は図３の場合にはゼロである。
プログラムステップ２０５において、遅延時間１５，１６を生じさせる。この場合、遅延時間１５，１６はメモリ７０に格納されている。それらの選定は、ＧＳＭ規格による仕様に応じた送信制御のための目標設定に依存する。プログラムステップ２１０において、メモリ７０から比較器５５へ供給される基準制御信号５の補間支点値が所定の最大制御信号値６，７以下であるかが調べられる。これが該当するならばプログラムステップ２１５へ分岐し、そうでなければプログラムステップ２２５へ分岐する。プログラムステップ２１５においてスイッチ５０は、それがすでに第１のスイッチ位置になければ、図１に破線で示した第１のスイッチ位置へ動かされる。スイッチ５０の第１のスイッチ位置において、第１のディジタル／アナログ変換器６０の出力側が加算点４５の非反転入力側と接続され、その結果、電力増幅器１０のための制御信号の補間支点値がまえもって与えられるようになる。ついでプログラムステップ２２０へ進む。プログラムステップ２２０において、第１の期間９０に対応する第１の待ち時間を生じさせる。プログラムステップ２２５の場合にはスイッチ５０は比較器５５により、破線で示す第２のスイッチ位置へ動かされ、この場合、第２のディジタル／アナログ変換器６５の出力側が加算点４５の非反転入力側（＋）と接続され、その結果、電力増幅器１０の制御信号ＵＣとして所定の最大制御信号値６，７が用いられることになる。スイッチ５０の切り換えは、メモリ７０の第１の入力側１１０において検出される。これに基づきプログラムステップ２３０において、メモリ７０の第２の入力側へ供給される所定の最大制御信号値６，７に依存して第２の待ち時間が設定され、この第２の待ち時間は所定の最大制御信号値６，７が値ＵＣ０をとるときのみ、第１の待ち時間と一致する。プログラムステップ２２０とプログラムステップ２３０からはそれぞれプログラムステップ２３５へ進む。プログラムステップ２３５において、基準制御信号の次の補間支点がメモリ７０から比較器５５へ転送される。そしてプログラムステップ２４０において、すでにすべての補間支点がメモリ７０から比較器５５へ転送されたかについて検査される。すべて転送済みであればこのシーケンスは終了し、そうでなければプログラムステップ２１０へジャンプして戻る。メモリ７０において第２のスイッチ位置から第１のスイッチ位置へのスイッチ５０の切り換えが検出されると、メモリ７０から補間支点を送出するための期間として、再び第１の待ち時間が設定される。プログラムステップ２０５において設定された遅延時間１５，１６もやはりメモリ７０に格納され、相応に所定の最大制御信号値６，７に対応づけられる。この場合、入力ユニット７５においてまえもって設定される送信電力が小さくなるにつれて、メモリ７０内で結果として生じる所定の最大制御信号値６，７に対応づけられる所定の遅延時間１５，１６が長くなる。つまり第１の所定の最大制御信号値６の場合には、第２の所定の最大制御信号値７のための第２の遅延時間１６よりも短くなる。したがって、図３に示されているように基準制御信号５と比べると、第１の所定の最大制御信号値６のために生じる制御信号８は、第１の所定の遅延時間１５だけ時点ｔ１よりも遅れた時点ｔ２に投入される。相応に、図３に示されているように基準制御信号５の時点ｔ１に対し、第２の所定の最大制御信号値７のために生じる制御信号９は、時点ｔ２よりもさらに遅れた時点ｔ３に投入される。この場合、所定の遅延時間１５，１６は、ＧＳＭ規格による仕様の全要求が満たされるように選定されており、その結果、たとえば時点ｔ４でその最大値に達するようになる。このことは殊に、送信信号を送信するためにたとえばＧＳＭ移動無線規格によれば、所定の電力で高周波送信信号を送信しなければならないいわゆるタイムパターンが設けられている点で重要である。制御信号８，９を求めるために基準制御信号５の補間支点を利用することで、すべての制御信号８，９はそれらの最大値まで続く上昇に関してそれぞれ同じ曲線形状を有することになる。値０へ向かう個々の制御信号８，９の信号振幅の下降についても、これと同じことがあてはまる。個々の制御信号８，９の上昇と下降について、個々の補間支点の間でそれぞれ同じ第１の期間９０が存在しているので、各補間支点間の期間は個々の制御信号８，９がその最大値をとったとき、減少した所定の最大制御信号値６，７を伴って小さくなり、これによって個々の制御信号８，９を生成するためにメモリ７０内に格納されている補間支点値を比較器５５へ供給できるようになる。したがって図３の場合、第１の所定の最大制御信号値６に関して、最大制御信号値ＵＣ１における２つの補間支点間の第２の待ち時間が、第１の期間９０よりも短い第２の期間９５に対応するような制御信号８が生じることになる。また、第２の所定の最大制御信号値７に関しては、最大制御信号値ＵＣ２における２つの補間支点間の第２の待ち時間は、第２の期間９５よりもさらに短い第３の期間１００に対応するような制御信号９が生じることになる。この場合、第２の待ち時間は、すべての制御信号８，９が時点ｔ５までそれらの最大値を保持し、時点ｔ５からは下降するように選定される。そして時点ｔ５からはすべての制御信号８，９について２つの補間支点間で、第１の期間９０に対応する第１の待ち時間が再び設定される。このようにして、最大値ＵＣ２を有する制御信号９は時点ｔ６において振幅値０に到達し、この時点に対し基準信号５のゼロ点通過時点ｔ８は、第２の所定の遅延時間１６だけ遅れている。また、最大値ＵＣ１を有する制御信号８は時点ｔ７において振幅値０に到達し、この時点に対し基準信号５のゼロ点通過時点ｔ８は、第１の所定の遅延時間１５だけ遅れている。
制御回路の安定化のために第１および第２のフィルタ３５および４０を付加的に利用することができ、これによりたとえば変動成分が生じないようになる。検出器２０によって、アンテナ給電点３０において実際に得られる高周波出力電力が求められ、制御量として加算点４５の非反転入力側（−）を介して電力増幅器１０の制御分岐へ供給される。
メモリ７０における記憶場所を節約する目的で、隣り合う所定の最大制御信号値のグループに対しそれぞれ所定の時間のずれを割り当てることができる。その際に、個々の制御信号ＵＣの最大振幅値への到達に関して生じる時点ｔ４のばらつきは、たとえばＧＳＭ移動無線規格に従う所定の許容範囲内になければならない。図１に示した制御回路のコンポーネントは、所定のあらゆる送信電力において高周波送信信号に対する時間設定や送信信号のスペクトル幅に関して、たとえばＧＳＭ移動無線規格など所定の仕様のすべての要求を満たすよう、綿密に設計する必要がある。
図４には、本発明による方法の別の実施例が示されている。この実施例は図１によるブロック回路図をもとにしており、同じ部分には同じ参照符号が付されている。制御回路は図１と同様に構成されている。しかし、加算点４５の非反転入力側（＋）へ送出される制御信号の生成は、異なるやり方で実現されている。加算点４５の非反転入力側（＋）は、スイッチ５０と接続されている。スイッチ５０を介して、加算点４５の非反転入力側（＋）は、制御信号５を発生する信号発生器３０１の出力側と接続されるかまたは、第１の抵抗３１０および付加接続可能な第２の抵抗３１５から成る切り替え可能な分圧器の中間タップ３０５と接続可能である。この場合、分圧器の第１の抵抗３１０は第１の電位Ｕｍａｘにおかれており、分圧器の第２の抵抗３１５は基準電位におかれている。第１の切替機構３２０を介して、さらに３つの抵抗３１５を分圧器の中間タップ３０５と接続させることができる。分圧器における付加接続可能なこれらの抵抗３１５は、トリマポテンショメータとして構成されている。スイッチ５０のスイッチ位置は比較器５５の出力側により制御され、この場合、比較器５５は２つの入力側を有しており、それらも信号発生器３０１の出力側または分圧器の中間タップ３０５と接続されている。信号発生器３０１は、第１の入力側３２５と第２の入力側３３０を有している。第１の入力側３２５は第１のモノフロップ３３５の出力側と接続されており、第２の入力側３３０は第２のモノフロップ３４０の出力側と接続されている。この場合、第２の切替機構３２１を介して、第１のモノフロップ３３５の第１の入力側３５０は４つのトリマコンデンサ３４５のうちの１つとそれぞれ接続可能であり、それらのコンデンサにおいて第２の切替機構３２１とは接続されていない方の電極は、それぞれアース電位におかれている。第２のモノフロップ３４０の第１の入力側３６０は、第３の切替機構３２２を介して同様に４つの別のトリマコンデンサ３４５のうちの１つとそれぞれ接続可能であり、それらのコンデンサにおいて第３の切替機構３２２とは接続されていない方の電極は、やはりそれぞれアース電位におかれている。
第１のモノフロップ３３５の第２の入力側３５５と第２のモノフロップ３４０の第２の入力側３６５は入力ユニット７５と接続されており、この入力ユニットによって切替機構３２０，３２１，３２２の切替位置が制御される。付加接続可能な抵抗３１５とトリマコンデンサ３４５は、パラメータセット格納のための記憶ユニットとして使用される。各パラメータセットは、所定の最大制御信号値６，７、信号上昇時の遅延時間に関する第１の時定数、ならびに信号減少時の遅延時間に関する第２の時定数から成り、したがって信号上昇と信号減少に関する双方の所定の遅延時間１５，１６をそれぞれ異ならせることができる。所定の最大制御信号値６，７はこの実施例では、トリマポテンショメータとして構成された付加接続可能な個々の適切な抵抗３１５の設定状態として格納され、これにより分圧器の中間タップ３０５から、所定の最大制御信号値６，７の設定に必要な信号電圧が比較器５５へ供給されるようになる。遅延時間１５，１６に対する値は同じようにしてトリマコンデンサ３４５に格納され、この場合、第１のモノフロップ３３５と接続可能なトリマコンデンサ３４５により第１のモノフロップ３３５の時定数が決定され、第２のモノフロップ３４０と接続可能なトリマコンデンサ３４５により第２のモノフロップ３４０の時定数が決定される。その際、あるパラメータセットから別のパラメータセットへの切り替えは、入力ユニット３７０によって同期して行われ、この入力ユニットによって切替機構３２０，３２１，３２２が同時に切り替えられる。第１のモノフロップ３３５の第２の入力側３５５と第２のモノフロップ３４０の第２の入力側３６５は、図５によれば時点ｔ０で入力ユニット７５により励起される。これにより、送信信号の送出が開始される。第１の待ち時間ｔＲの経過後、第１のモノフロップ３３５により信号発生器３０１の第１の入力側３２５が励起され、それに応じて基準制御信号５の立ち上がり縁がアナログ形式で連続信号としてその出力側に送出され、最大値においてこの基準信号５は、第２のモノフロップ３４０が第２の待ち時間ｔＵ経過後に期間満了し、信号発生器３０１の第２の入力側を介して信号減少開始がトリガされるまで、一定状態に保持される。
図５には、３つの制御信号ＵＣの電圧経過特性が時間ｔに依存して描かれている。信号発生器３０１により形成された基準制御信号５は、最大送信レベル発生のために使われる。適切なトリマポテンショメータ３１５により設定された最大制御信号値６，７が基準制御信号５の最大値ＵＣ０以上であれば、スイッチ５０は信号発生器３０１の出力側を加算点４５と接続する位置に保たれる。入力ユニット７５において、パラメータセットを切替機構３２０，３２１，３２２を介して選定することができ、付加接続可能な抵抗３１５とトリマコンデンサ３４５の値を入力ユニット７５において設定することができる。さらに入力ユニット７５は、時点ｔ０で両方のモノフロップ３３５，３４０が励起されるように送信過程をスタートさせるために用いられる。所定の最大制御信号値６，７の設定は、第１の電位Ｕｍａｘ、基準電位、分圧器の第１の抵抗３１０、選択された付加接続可能な抵抗３１５とその大きさに依存する。入力ユニット７５において、基準制御信号５の最大値ＵＣ０よりも小さい所定の最大制御信号値６，７をもつパラメータセットが選択されると、図５による制御信号８，９のレベルが時点ｔＳで所定の最大制御信号値６，７の値に達する。この値を超えると比較器５５はスイッチ５０を切り替え、その結果、信号発生器３０１の出力側はもはや加算点４５と接続されず、分圧器の中間タップ３０５と接続されるようになる。
スイッチ５０のこのスイッチ位置は時点ｔＶまで保持され、その時点になれば制御信号８，９は所定の最大制御信号値６，７の値よりも低くなり、比較器５５はスイッチ５０の位置を戻して、信号発生器３０１の出力側が加算点４５と接続されるようになる。そして時点ｔｗにおいて、制御信号８，９は再び値０になる。
図５によれば、まずはじめに基準制御信号５は時点ｔＲ１で第１のモノフロップ３３５に指示されて開始され、時点ｔＳ１でその最大値ＵＣ０に到達する。さらに、時点ｔＳ１に続く時点ＴＤ０からはＧＳＭ移動無線規格のタイムパターンに従って、所定の最大電力をもつ適切な高周波送信信号を送出する必要がある。これは時点ｔＤ０に続く時点ｔＤｎにおいて、ＧＳＭ移動無線規格に従って維持されなければならない。時点ｔＤｎに続く時点ｔＵ１で第２のモノフロップ３４０により指示されて、基準制御信号５の低減が始められ、その結果、時点ｔＷ１で再びゼロ軸と交差することになる。
入力ユニット７５において、第１の所定の最大制御信号値６に対しＵＣ０よりも小さい値ＵＣ１が設定され、両方のモノフロップ３３５，３４０の時定数が適切に選定された場合、第１のモノフロップ３３５により指示されて第１の制御信号８が時点ｔＲ２で開始される。この第１の制御信号８は時点ｔＲ１よりも遅れており、時点ｔＳ２で基準制御信号５のかたちを有するものである。そして時点ｔＳ２において値ＵＣ１に到達し、この時点は時点ｔＳ１よりも手前にある。このようにして時点ｔＤ０において、やはり最大所定送信電力が生じている。
図５の場合、第１の制御信号８が値ＵＣ０に達するまでの経過特性の延長線が破線で描かれており、この場合、時点ｔＴ０よりも時間的にあとにくる時点ｔＴ２で値ＵＣ０に到達することになる。ついで時点ｔＤｎよりも前にくる時点ｔＵ２において、信号発生器３０１から発せられる基準制御信号５が第２のモノフロップ３４０に指示されて低下し始め、その結果、時点ｔＤｎのあとにくる時点ｔｖ２において値ＵＣ１に到達し、その結果、加算点４５へ供給される第１の制御信号８は時点ｔＶ２まで値ＵＣ１に保持され、時点ｔＶ２からは基準制御信号５の経過特性に従って下降し、時点ｔＷ２においてゼロ軸に達する。これによりこの場合にも、時点ｔＤ０と時点ｔＤｎの間で所定の最大レベルで送信信号が送出されるようになる。
同様のことは図５による第２の制御信号９についてもあてはまる。この第２の制御信号の最大値はＵＣ２であり、これは時点ｔＲ２よりも遅れた時点ｔＲ３で第１のモノフロップ３３５に指示されて開始され、基準制御信号５の経過特性に従って最大値ＵＣ２まで上昇し、時点ｔＳ１と時点ｔＳ２との間に位置する時点ｔＳ３において最大値に到達する。この場合、第２のモノフロップ３４０は時点ｔＵ２と等しい時点ｔＵ３で、信号発生器３０１により発せられる基準制御信号５を低減させ、次にこれは時点ｔＶ２よりも遅い時点ｔＶ３で値ＵＣ２に到達し、ついで時点ｔＶ３からは基準制御信号５の経過特性に従って第２の制御信号９は値ゼロまで減少する。値ゼロに到達するのは時点ｔＷ３であり、これは時点ｔＷ２と等しい時点である。この場合にも第２の制御信号９の経過特性の延長線が破線で引き続き表されており、ここで値ＵＣ０には時点ｔＴ２よりも遅れた時点ｔＴ３で到達することになる。図５には、信号発生器３０１から発せられた基準制御信号５が最大値ＵＣ０から所定の最大制御信号値６，７まで降下する様子も、破線で描かれている。値ＵＣ２をもつ第２の制御信号値７を設定した場合も、この値は時点ｔＶ３まで加算点４５へ供給される第２の制御信号９により維持される。この場合、図５に破線で示した曲線は、信号発生器３０１から発せられる制御信号を表しており、これはスイッチ５０のスイッチ位置ゆえに加算点４５には到達しない。本来のデータ送信は、時点ｔＤ０と時点ｔＤｎとの間で行われる。
補間支点のディジタル記憶を用いず図４によるハードウェア回路によって制御信号８，９を発生させることの利点は、計算オペレーションの削減と信号フィルタリングの簡略化にある。それというのも、ディジタル／アナログ変換が行われないので、ディジタル／アナログ変換器のクロック制御に起因する妨害信号が発生しないからである。
これまで述べてきた装置は、たとえばＧＳＭ規格による移動無線送信機の構成部分とすることができる。ＧＳＭ移動無線に対する仕様には、送信出力電力の種々の段階のための送信信号の上昇および下降の時間シーケンスに関する基準が含まれている。さらにこれには、送信周波数スペクトルの許容幅に関する記述もある。遅延時間ｔＲとｔＵの選定ならびにフィルタ３５，４０の綿密な設計によって、どのような送信出力であってもこのような要求が確実に満たされるようにする必要がある。
図６による別の実施例の場合、制御回路は図１による実施例と対比して変更されていないが、ここでは加算点４５の非反転入力側（＋）へ供給される制御信号の発生に関して、さらに別の実現形態を採用した。
ここでは加算点４５の非反転入力側（＋）にディジタル／アナログ変換器６０の出力側が接続されており、これは出力すべきアナログ制御信号のディジタル値をシーケンスコントローラ８１から受け取る。たとえばマイクロコンピュータとして構成することのできるシーケンスコントローラ８１は、データメモリ９１の内容にアクセスする。このデータメモリ内には、基準制御信号５の補間支点と、それぞれ異なる所定の最大制御信号値６，７のために基準制御信号５から導出することのできる制御信号８，９を形成するための種々のパラメータが格納されている。この場合、送信アンテナ２５を介した送信信号の送出のために、異なるｍ個の電力段階を設定できるようにすべきである。ｍ個の可能な電力段階の各々についてそれぞれ、送信開始の時間遅延に関する値、その出力に必要とされる制御信号８，９の所定の最大制御信号値６，７、ならびに個々の制御信号８，９が下降するときに越えるべき補間支点の個数が、データメモリ９１内に格納されている。
図７には、所望の送信出力電力に必要とされる制御信号８，９を発生させるための２つのフローチャートが示されている。また、図８には、送信出力信号の３つの電力段階について制御信号８，９の電圧経過特性が、時間ｔに依存して描かれている。この場合、最大所定制御信号値６，７について、やはり図３と図５に示した値ＵＣ１とＵＣ２を採用した。基準制御信号５の最大値ＵＣ０についても、同様に図３と図５に示したものを採用した。送信信号上昇開始前の時点ｔ０にあたりプログラムステップ・スタート１において、基準制御信号５における補間支点の第１のシーケンスが呼び出される。この呼び出しにあたりプログラムに対し、シーケンスコントローラ８１へ基地局により無線で伝達された送信機出力電力の所望の電力段階に関する値ｍが与えられる。プログラムステップ４００において、データメモリ９１内に格納されている基準制御信号５の第１のシーケンスにおける第１の補間支点へのアクセスが、インデックス変数の初期化により準備処理される。プログラムステップ４０２において、送信開始時点ｔｍの時間遅延に関して段階ｍのために格納されている値が、データメモリ９１から読み出される。待ち時間ｔｍの経過後、プログラムステップ４０５において、インデックス変数により参照された補間支点がデータメモリ９１から呼び出される。プログラムステップ４１０において比較により、それらの補間支点が送信電力ｍのために設定された最大制御信号値６，７よりも大きいか否かについて検査される。大きいのであればプログラムステップ４１５に分岐し、そうでなければプログラムステップ４２５へ分岐する。プログラムステップ４１５において、送信電力ｍのための所定の最大制御信号値６，７がディジタル／アナログ変換器６０へ送出されて、プログラムシーケンスが終了する。
プログラムステップ４２５の場合には、直前に求められた基準制御信号５の補間支点がディジタル／アナログ変換器６０へ送出される。プログラムステップ４３０においてインデックス変数がインクリメントされ、その結果、次に送出すべき補間支点を指すようになる。さらにプログラムステップ４３５において、すべてのプログラムの呼び出しおよび進行について一定の待ち時間が設定され、これは補間支点出力の所望のクロックレートにより決定される。プログラムステップ４４０において、たったいまディジタル／アナログ変換器６０へ送出された値が電力上昇のための最後の補間支点であったのか、つまり基準制御信号５の最大値ＵＣ０に達したのかについて検査される。最大値に到達したのであればプログラムシーケンスが終了し、そうでなければプログラムステップ４０５へジャンプして、次に補間支点が呼び出される。
時点ｔ１ないしはｔ１′において、図８に示されているように送信機出力電力が下降し始め、この場合、基準制御信号５の補間支点の第２のシーケンスがプログラムステップ・スタート２において呼び出される。この呼び出しの場合にもシーケンスコントローラ８１へ、目下使用される送信機出力電力の電力段階に対する値ｍが基地局により無線で送出される。プログラムステップ４５０において、この電力段階ｍにおいて越えるべき基準制御信号５の補間支点について１だけ高められた個数によってインデックス変数が初期化され、その結果、これは所定の最大制御信号値６，７に対応する基準制御信号５の最初の補間支点を指すようになる。プログラミングステップ４５５において、インデックス変数により参照された補間支点がデータメモリ９１から呼び出される。次にプログラムステップ４６０において、基準制御信号５におけるこの補間支点がディジタル／アナログ変換器６０へ送出される。プログラムステップ４６５においてインデックス変数がインクリメントされ、プログラムステップ４７０においてすべてのプログラム進行に関して変わらない待ち時間が設定される。この待ち時間の経過後、プログラムステップ４７５において、直前に送出された補間支点が基準制御信号５における最後の値であったか否かについて検査される。最後の値であったならば、プログラムステップ４８０へ分岐し、次の補間支点が呼び出される。プログラムステップ４８０では、値ゼロがディジタル／アナログ変換器６０へ渡され、プログラムが終了する。
図８には、ｍ＝３の送信機出力信号の電力段階について、個々の制御信号ＵＣの電圧経過特性が時間ｔに依存して描かれている。基準制御信号５の最大値ＵＣ０に従って最大送信機出力電力まで信号が上昇する際、基準制御信号５のすべての補間支点が用いられ、つまりディジタル／アナログ変換器６０を介して電力制御回路内の加算点４５の非反転入力側へそれらが送出される。このようにして、参照符号５の付された基準制御信号の電圧経過特性がディジタル／アナログ変換器６０の出力側に生じることになる。この場合、基準制御信号５は、時点ｔ０よりも遅延された時点ｔｍ＝１で始まる。所要送信機出力電力の電力段階が下げられた場合、図５に示したように制御信号８，９の電圧経過特性が得られる。この場合、制御信号８は時点ｔｍ＝１よりも遅れた時点ｔｍ＝２で始まり、所定の最大値ＵＣ１に到達する。また、第２の制御信号９は時点ｔｍ＝２よりもさらに遅れた時点ｔｍ＝３で始まり、所定の最大値として値ＵＣ２に到達する。この場合、既述の実施例のように値ＵＣ２は値ＵＣ１よりも小さく、値ＵＣ１は値ＵＣ０よりも小さくなるように選定されている。図８に点で示された補間支点は、最大値ＵＣ１，ＵＣ２を有する制御信号８，９における送信機電力上昇時にはもはや実行されず、減少時にはそれらをジャンプしていく。
そして基準制御信号５および第１の制御信号８については時点ｔ１において、あるいは第２の制御信号９については時点ｔ１よりも遅れた時点ｔ１′において、送信機出力電力が下降し始める。
第２のフィルタ４０により、ディジタル／アナログ変換器６０から到来する制御信号８，９の電圧段階が平滑化され、連続的に上昇ないしは下降する電圧経過特性に変えられる。
さらに別の実施例において、すでに以前に説明した図６による回路を用いるが、図９に示したシーケンスコントローラ８１のフローチャートによれば、基準制御信号５の補間支点のただ１つのシーケンスだけが処理され、これは送信信号上昇開始時にスタートし、送信信号下降が完全に終わった後で終了する。ｍ個の可能な電力段階の各々について、それぞれ５つのパラメータがデータメモリ９１内に格納されており、すなわちそれらの電力段階のためにそれぞれ必要とされる制御信号８，９の所定の最大制御信号値６，７とディジタル／アナログ変換器６０へ各補間支点が送出される間の４つの待ち時間である。最初の待ち時間ｔｍ１は送信開始の時間遅延にあてはまり、第２の待ち時間ｔｍ２は送信機出力電力上昇期間にあてはまり、第３の待ち時間ｔｍ３は一定の最大送信機出力電力期間にあてはまり、第４の待ち時間ｔｍ４は送信機出力電力減少期間にあてはまる。
図１０には、送信機出力電力の２つの電力段階ｍに関して結果として生じた制御信号の経過特性が、時間ｔに依存して描かれている。
送信信号情報開始前の時点ｔ０で、プログラムステップＳＴＡＲＴにおいて補間支点のシーケンスが呼び出される。この呼び出しにあたりシーケンスコントローラ８１へ、送信機出力電力の所望の電力段階に関する値ｍが、無線によって基地局により送出される。プログラムステップ５００において、基準制御信号５の第１の補間支点へのアクセスが第１のインデックス変数Ｚ１の初期化により準備処理される。次にプログラムステップ５０１において第２のインデックス変数Ｚ２が初期化され、その結果、これは送信機出力電力の選択された電力段階ｍに対する第１の待ち時間ｔｍ１を指すようになる。プログラムステップ５０２において、第２のインデックス変数Ｚ２により参照される第１の待ち時間ｔｍ１がデータメモリ９１から読み出される。第１の待ち時間ｔｍ１の経過後、プログラムステップ５０３において第２のインデックス変数Ｚ２が、ここでは選択された電力段階ｍの第２の待ち時間ｔｍ２を指すようセットされる。
プログラムステップ５０５において、第１のインデックス変数Ｚ１により参照される補間支点がデータメモリ９１から呼び出される。プログラムステップ５１０において比較により、この補間支点が選択された電力段階ｍの所定の最大制御信号値６，７以上であるかが検査される。これがあてはまるならばプログラムステップ５１５へ分岐し、そうでなければプログラムステップ５４０へ分岐する。プログラムステップ５１５において、選択された電力段階ｍに対する所定の最大制御信号値６，７がディジタル／アナログ変換器６０へ送出される。ついでプログラムステップ５２０において第２のインデックス変数Ｚ２が、選択された電力段階ｍの第３の待ち時間ｔｍ３を指すようセットされる。さらにプログラムステップ５２５において、第２のインデックス変数Ｚ２により参照される第３の待ち時間ｔｍ３がデータメモリ９１から呼び出される。第３の待ち時間ｔｍ３の経過後、プログラムステップ５３０において第２のインデックス変数Ｚ２が、選択された電力段階ｍの第４の待ち時間ｔｍ４に向けてセットされる。ついでプログラムステップ５５０が実行される。
プログラムステップ５４０において、プログラムステップ５０５で呼び出された補間支点がディジタル／アナログ変換器６０へ送出される。プログラムステップ５４５において、第２のインデックス変数Ｚ２により参照される待ち時間ｔｍ２が呼び出される。この待ち時間は、以前にすでにプログラム分岐がプログラムステップ５１５から来たのか否かに従って、選択された電力段階ｍのための第２の待ち時間ｔｍ２あるいは第４の待ち時間ｔｍ４とすることができる。次にプログラムステップ５５０が実行される。プログラムステップ５５０において、第１のインデックス変数Ｚ１がインクリメントされる。これはこのとき次に送出すべき補間支点を指す。
プログラムステップ５５５において、利用可能な最後の補間支点がすでに送出されてしまったのか否かが、つまり第１のインデックス変数Ｚ１が、格納された補間支点のフィールド終端を越えて指し示しているのか否かが検査される。越えてしまっていればプログラムステップ５６０へ分岐し、そうでなければプログラムステップ５０５へ分岐し、そこにおいて生じた補間支点がデータメモリ９１からロードされる。プログラムステップ５６０において、値ゼロがディジタル変換器６０へ送出され、プログラムが終了する。
図１０には、送信機出力電力の２つの電力段階ｍのためのディジタル／アナログ変換器６０の出力側における電圧の経過特性が描かれている。この場合、最大制御信号値ＵＣ０を有する基準制御信号５が描かれているとともに、この基準制御信号５から導出される第１の所定の最大制御信号値６の最大値ＵＣ１を有する第１の制御信号８が描かれている。
基準制御信号５は、スイッチオン時点ｔ０より第１の待ち時間ｔｍ１ａだけ遅れて始まり、この基準制御信号５から導出された第１の制御信号８は、スイッチオン時点ｔ０よりも第１の待ち時間ｔｍ１ｂだけ遅れて始まる。この場合、基準制御信号５から導出される第１の制御信号８のための待ち時間ｔｍ１は、基準制御信号５のための第１の待ち時間ｔｍ１ａよりも長い。さらに図１０において、基準制御信号５における２つの補間支点間の期間に対する第２の待ち時間には、参照符号ｔｍ２ａが付されており、これは基準制御信号５から導出された信号上昇中の第１の制御信号８のための２つの補間支点間の期間に対する第２の待ち時間ｔｍ２ｂよりも短い。基準制御信号５とこの基準制御信号５から導出された第１の制御信号８がそれらの最大値をとっている間、２つの補間支点間の期間は、基準制御信号５の場合には第３の待ち時間ｔｍ３ａに対応し、基準制御信号５から導出された制御信号８の場合にはｔｍ３ｂに対応する。この場合、基準制御信号５から導出された第１の制御信号８の第３の待ち時間ｔｍ３ｂは、基準制御信号５の第３の待ち時間ｔｍ３ａよりも短い。２つの補間支点間の期間は信号減少中、基準制御信号５から導出された第１の制御信号８の場合には第４の待ち時間ｔｍｂ４に対応し、これは基準制御信号５の相応の第４の待ち時間ｔｍ４ａよりも短い。
この場合、待ち時間ｔｍ１〜ｔｍ４は次のように選定される。すなわち、基準制御信号５についても、この基準制御信号５から導出された第１の制御信号８についても、データメモリ９１内に格納されたシーケンスにおけるすべての補間支点が呼び出されるように選定される。第２および第４の待ち時間ｔｍ２およびｔｍ４の選定により、出力の増加と減少の勾配を送信出力の電力段階ｍごとに個々に設定可能である。第３の待ち時間ｔｍ３は次のように選定される。すなわち、最大送信出力が一定の期間中は、相応の電力段階ｍにとって不必要に高い送信出力の補間支点が呼び出されても、それらはレベル比較に基づきディジタル／アナログ変換器６０へは転送されず、その結果、レベル低減の始まった所望の時点で、そのために必要な補間支点がデータメモリ９１内に処理のために存在するように選定される。
ディジタル／アナログ変換器６０への補間支点の転送のための時点は、基準制御信号５についても第１の制御信号８についても、時間軸下側の大文字Ａ，Ｂ，Ｃ，．．．，Ｍで表されている。
図９によるフローチャートによれば、送信機出力信号の利用可能なｍ個のすべての電力段階において、プログラムステップ５１０で送信機信号上昇終了後にプログラムステップ５１５へ分岐するので、プログラムステップ５２０の終了時に選択された電力段階ｍの第３の待ち時間ｔｍ３を設定することができる。これは、第４の待ち時間ｔｍ４をもつ以降の送信信号低減のための前提である。相応に選定された出力段階の最大値に対応する基準制御信号５の補間支点は、基準制御信号５の所定の最大値ＵＣ０よりも大きい可能性はないので（このことは殊にできるかぎり大きい送信出力をもつ出力段階についてあてはまる）、最大値ＵＣ０をもつその補間支点を相応に高めることができる。これはたとえば次のようにして達成できる。すなわち、データメモリ９１内に格納されている基準制御信号５の補間支点のテーブルにおいて、送信信号上昇領域と送信信号下降領域との間に、制御回路のコントロールに向いていない値が挿入される。図１０ではこれに参照符号３９５が付されており、これは基準制御信号５の所定の最大値ＵＣ０よりも著しく大きい。
待ち時間ｔｍ１，ｔｍ２，ｔｍ３，ｔｍ４の間、シーケンスコントローラ８１をプログラム実行から開放させ、他のタスクの処理に利用することができる。
１つの別の実施例の場合、すでに説明した図６による回路が利用される。図１１には、望ましい送信機出力電力に必要とされる制御信号８，９を生成するための２つのフローチャートが描かれている。図１２には、送信機出力信号の３つの電力段階について、制御信号８，９の電圧経過特性が時間ｔに依存して描かれている。この場合にも、所定の最大制御信号値６，７に対して、図３と図５による値ＵＣ１およびＵＣ２を選定した。基準制御信号５の最大値ＵＣ０についても、やはり図３と図５のように選定した。ｍ個の可能な出力段階の各々について、それぞれ送信開始の時間遅延およびその出力に必要な制御信号８，９の所定の最大制御信号値６，７に関する値が、データメモリ９１内に格納されている。
時点ｔ０において送信信号上昇開始前、プログラムステップ・スタート１において基準制御信号５の補間支点の第１のシーケンスが呼び出される。この呼び出しにあたり、シーケンスコントローラ８１へ送信機出力電力の所望の電力段階に対する値ｍが基地局により無線で送出される。プログラムステップ６００において、データメモリ９１に格納されている基準制御信号５の第１のシーケンスの第１の補間支点に対するアクセスが、インデックス変数の初期化により準備処理される。プログラムステップ６０２において、所望の電力段階ｍのために格納されている送信開始ｔｍの時間遅延に関する値が、データメモリ９１から読み出される。待ち時間ｔｍの経過後、プログラムステップ６０５において、インデックス変数により参照される補間支点がデータメモリ９１から呼び出される。さらにプログラムステップ６１０において比較により、この補間支点が所望の電力段階ｍのための所定の最大制御信号値６，７よりも大きいか否かについて検査される。大きいならばプログラムステップ６１５へ分岐し、そうでなければプログラムステップ６２５へ分岐する。プログラムステップ６１５において、所望の電力段階ｍのための所定の最大制御信号値６，７がディジタル／アナログ変換器６０へ送出され、プログラムシーケンスが終了する。
プログラムステップ６２５において、最後に求められた基準制御信号５の補間支点がディジタル／アナログ変換器６０へ送出される。プログラムステップ６３０においてインデックス変数がインクリメントされて、次に送出すべき補間支点を指すようになる。プログラムステップ６３５において、補間支点送出の所望のクロックレートにより定められるすべてのプログラムの呼び出しおよび進行について一定の待ち時間が設定される。プログラムステップ６４０において、たったいまディジタル／アナログ変換器６０へ送出された値が出力上昇における最後の補間支点であったのか、つまり基準制御信号５の最大値ＵＣ０に達したかどうかについて検査される。達していればプログラムシーケンスは終了し、そうでなければプログラムステップ６０５へジャンプし、次の補間支点が呼び出される。
図１２に示されているように、時点ｔ１またはｔ１′において送信機出力電力の低減が始められ、これはプログラムステップ・ＳＴＡＲＴ２で基準制御信号５の補間支点における第２のシーケンスが呼び出されることによって行われる。この呼び出しにあたってもシーケンスコントローラ８１へ、目下使用されている送信機出力電力の出力段階に対する値ｍが与えられる。プログラムステップ６５０においてインデックス変数が初期化され、それが第２の信号区間の開始を指すように、つまり送信信号低減のために格納されている基準制御信号５の第１の補間支点を指すようになる。しかしインデックス変数のこのような初期化を省略できる場合もあり、それは送信信号の上昇と低減のための補間支点が連続的なデータフィールドとしてデータメモリ９１内にシーケンシャルに格納されていることを前提として、対応するメモリセルに第１のシーケンスの補間支点も格納されていて呼び出し可能な場合である。
プログラムステップ６５５において、インデックス変数により参照された補間支点がデータメモリ９１から呼び出される。プログラムステップ６６０において、この補間支点が所定の出力段ｍのための所定の最大制御信号値６，７よりも大きいか否かが検査される。大きい場合にはプログラムステップ６７５に分岐し、そうでなければプログラムステップ６６５に分岐する。プログラムステップ６６５において、基準制御信号５のこの補間支点がディジタル／アナログ変換器６０へ送出され、プログラムステップ６７０において、このプログラム分岐におけるすべての進行について変わらない待ち時間が実行される。
プログラムステップ６７５においてインデックス変数がインクリメントされる。そしてプログラムステップ６８０において、直前に送出された補間支点が基準制御信号５における最後の補間支点であったか否かが検査される。最後の補間支点であったならばプログラムステップ６８５へ進み、そうでなければプログラムステップ６５５へ戻り、次の補間支点が呼び出される。プログラムステップ６８５において値０がディジタル／アナログ変換器６０へ与えられ、プログラムが終了する。図１２には、ｍ＝３の送信機出力信号の電力段階について、個々の制御信号ＵＣの電圧経過特性が時間ｔに依存して描かれている。この場合、図１２に示すダイアグラムは図８に示したダイアグラムに対応しているが、この実施例の場合、点線で書き込まれている送信機出力電力低減時の補間支点は、レベル比較の結果に基づきディジタル／アナログ変換器６０へは伝達されない。
次に説明するさらに別の実施例においても、図６に示した既述の回路が用いられる。図１３には、この実施例に関するフローチャートが描かれている。これまで説明した実施例のようにこの実施例でも、望ましい送信機出力電力に必要とされる制御信号８，９を生成するための２つのフローチャートが用いられる。ＳＴＡＲＴ１の付された第１のフローチャートは送信信号レベル上昇にあたり実行され、ＳＴＡＲＴ２の付された第２のフローチャートは送信信号レベルの所望の低減に作用する。
この実施例の場合、基準制御信号５の補間支点と所望の電力段階ｍのために設定された最大制御信号値６，７とのレベル比較は行われない。この場合、基準制御信号５の補間支点の部分シーケンスだけがディジタル／アナログ変換器６０を介して制御回路へ送出される。
ｍ個の可能な電力段階の各々について、それぞれ４つのパラメータがデータメモリ９１内に格納されている。これはまず第１に、データ伝送中一定におかれる送信バーストの平坦な中央部分に対するレベル値である。この実施例の場合にはこのレベル値は、電力段階ｍのために用いられる基準制御信号５の部分シーケンスにおけるいくつかの補間支点よりも低くなる可能性がある。それというのも、それぞれ必要とされる部分シーケンスを選択する際に信号レベルが判定基準として利用されないからである。さらに各電力段階ｍのために、第１の補間支点送出前の待ち時間ｔｍ、送信信号上昇時に処理すべき補間支点の個数、ならびに送信信号低減前に飛び越すべき補間支点の個数が格納されている。
図１４による送信信号上昇開始前の時点ｔ０において、ＳＴＡＲＴ１における図１３のフローチャートに従って基準制御信号５の第１のシーケンスが呼び出される。この呼び出しにあたりシーケンスコントローラ８１へ、送信出力の所望の出力段階に対する値ｍが無線により基地局から与えられる。プログラムステップ７００において、基準制御信号５の第１の補間支点に対するアクセスがインデックス変数の初期化により準備処理される。インデックス変数の個々の値は後続のプログラムループ進行にあたり、処理すべき補間支点に対するポインタを成すだけでなく、すでに処理された補間支点の個数も表す。
プログラムステップ７０２において、所望の出力段階ｍのために格納されている待ち時間ｔｍの値がデータメモリ９１から読み出される。待ち時間ｔｍの経過後、プログラムステップ７０５において、インデックス変数により参照された補間支点がデータメモリ９１から呼び出される。プログラムステップ７１０においてインデックス変数の目下の値に基づき、事前に送出済みの補間支点の個数が、送信信号上昇時に電力段階ｍために設定されつまりデータメモリ９１内にエントリされた値にすでに達したか否かが検査される。その値に達していればプログラムステップ７１５へ分岐し、そうでなければプログラムステップ７２５へ分岐する。プログラムステップ７１５において、所望の電力段階ｍのための制御信号８，９の中央部分に対するレベル値がディジタル／アナログ変換器６０へ送出され、このプログラムパートが終了する。
これに対しプログラムステップ７２５において、最後に求められた基準制御信号５の補間支点がディジタル／アナログ変換器６０へ送出される。プログラムステップ７３０においてインデックス変数がインクリメントされ、その結果、これは次に送出すべき補間支点を指すようになる。プログラムステップ７３５において、すべてのプログラムの呼び出しと進行について一定の待ち時間が設定され、これは補間支点出力の所望のクロックレートにより定まる。ついでプログラムステップ７４０において、たったいまディジタル／アナログ変換器６０へ送出された値が電力上昇における最後の補間支点であったか、つまり基準制御信号５の最大値ＵＣ０に達したか否かが検査される。達していればこのプログラムパートは終了し、そうでなければプログラムステップ７０５へ戻り、次の補間支点が呼び出される。
図１４による時点ｔ１において、送信機出力電力の低減が開始され、これはプログラムステップＳＴＡＲＴ２において基準制御信号５における補間支点の第２のシーケンスが呼び出されることにより行われる。この呼び出しにあたってもシーケンスコントローラへ、目下使用されている送信機出力電力の電力段階に対する値ｍが基地局により無線で与えられる。プログラムステップ７５０においてインデックス変数が、この電力段階ｍにおいて飛び越えるべき補間支点について１だけ高められた個数により初期化され、その結果、ここではこの送信機出力電力のために送出すべき基準制御信号５における最初の補間支点を指すようになる。プログラムステップ７５５において、インデックス変数により参照された補間支点がデータメモリ９１から呼び出される。プログラムステップ７６０において、基準制御信号５のこの補間支点がディジタル／アナログ変換器６０へ送出される。プログラムステップ７６５においてインデックス変数がインクリメントされ、ついでプログラムステップ７７０において、すべてのプログラム進行について変わらない待ち時間が実行される。
プログラムステップ７７５において、直前に送出された補間支点が基準制御信号５における最後の値であったか否かが検査される。最後の値であればプログラムステップ７８０へ分岐し、そうでなければプログラムステップ７５５へ分岐し、次の補間支点が呼び出される。プログラムステップ７８０において、値ゼロがディジタル／アナログ変換器６０へ与えられ、プログラムが終了する。
図１４の場合、ｍ＝３の送信機出力信号の出力段階について制御信号ＵＣの電圧経過特性が時間ｔに依存して描かれている。最大送信機出力へ向かう信号上昇時に基準制御信号５におけるすべての補間支点が用いられ、つまりディジタル／アナログ変換器６０を介して電力制御回路内の加算点４５における非反転入力側（＋）へ与えられる。このよにしてディジタル／アナログ変換器６０の出力側に、時点ｔ０よりも遅い時点ｔｍ＝１で始まる基準制御信号５の基準制御信号５の電圧経過特性が生じる。所要送信機出力電力における低い電力段階ｍにおいて２つの制御信号８，９があり、ここで第１の制御信号８は時点ｔｍ＝１よりも遅い時点ｔｍ＝２で始まり、第２の制御信号９は時点ｔｍ＝２よりもさらに遅い時点ｔｍ＝３で始まる。図示されているように、この実施例では送信機出力電力上昇時における基準制御信号５の最後に送出された補間支点は、送信バーストのフラットな中央部のために使用されるレベル値つまりデータ伝送中に使用されるレベル値よりも大きくなっている。点線で示した補間支点は送信出力電力上昇時にはもはや実行されず、送信機出力電力低減時には飛び越される。
データ伝送中に使用されるレベル値は図１４に示されているように、基準制御信号５についてはこの基準制御信号５の最大値ＵＣ０であり、第１の制御信号８については第１の所定の最大制御信号値６に対応する最大値ＵＣ１であり、第２の制御信号９については第２の所定の最大制御信号値７に対応する最大値ＵＣ２である。
【図１】
0004081561.tif 000002
【図２】
0004081561.tif 000003
【図３】
0004081561.tif 000004
【図４】
0004081561.tif 000005
【図５】
0004081561.tif 000006
【図６】
0004081561.tif 000007
【図７】
0004081561.tif 000008
【図８】
0004081561.tif 000009
【図９】
0004081561.tif 000010
【図１０】
0004081561.tif 000011
【図１１】
0004081561.tif 000012
【図１２】
0004081561.tif 000013
【図１３】
0004081561.tif 000014
【図１４】
0004081561.tif 000015